【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
複数の無線通信規格に準拠した高周波回路部を含む複数の無線モジュールと、
前記無線モジュールのそれぞれに電力を供給する組み込み制御器と、
前記組み込み制御器より前記各無線モジュールに電力を供給する電源線をそれぞれ開閉するスイッチ群と、
前記組み込み制御器に指示して前記スイッチ群を開閉する１つの制御スイッチと、
を備え、
前記組み込み制御器より前記スイッチ群によって閉じられた電源線を通して前記無線モジュールに電力が供給され、その無線モジュールによりデータが送受信される状態で前記制御スイッチの操作により、前記組み込み制御器は前記スイッチ群を全て「開」にして前記無線モジュールへの電力の供給を停止し、かつ、前記スイッチ群の全てが「開」状態で、前記制御スイッチを操作することにより、前記組み込み制御器は前記スイッチ群をその全てが開にされる前の状態に戻し、前記スイッチ群の全てが開にされる前に電力が供給されていた無線モジュールによりデータが送受信される状態に復帰することを特徴とする情報処理装置の無線通信装置。
【請求項２】
複数の無線通信規格に準拠した高周波回路部を含む複数の無線モジュールと、
前記無線モジュールのそれぞれに電力を供給する組み込み制御器と、
前記組み込み制御器より前記各無線モジュールに電力を供給する電源線をそれぞれ開閉するスイッチ群と、
前記組み込み制御器に指示して前記スイッチ群を開閉する１つの制御スイッチと、
を備え、
前記組み込み制御器より前記スイッチ群によって閉じられた電源線を通して前記無線モジュールに電力が供給され、その無線モジュールによりデータが送受信される状態で前記制御スイッチの操作により、前記組み込み制御器は前記スイッチ群を全て「開」にして前記無線モジュールへの電力の供給を停止し、かつ、前記スイッチ群の全てが「開」状態で、前記制御スイッチを操作することにより、前記組み込み制御器は予め設定された無線モジュールに電力を供給するように前記スイッチ群を制御し、その電力が供給された無線モジュールによりデータが送受信されるようにしたことを特徴とする情報処理装置の無線通信装置。
【手続補正２】
【補正対象書類名】明細書
【補正対象項目名】全文
【補正方法】変更
【補正の内容】
【発明の詳細な説明】
【発明の名称】情報処理装置の無線通信装置
【技術分野】
【０００１】
本発明はノートパソコンのような携帯型の情報処理装置（以下、総称してノートパソコン）の無線通信装置に関するものである。
【背景技術】
【０００２】
近年、ノートパソコンは、インターネットなどネットワークに接続する場合には無線ＬＡＮによるネットワーク通信が一般的になってきている。また、ノートパソコンと外部機器との接続にはＵＳＢ、ＩＥＥＥ１３９４のような有線ケーブルを使用したものよりは無線ＬＡＮ、ブルートゥース（Ｂｌｕｅ  ｔｏｏｔｈ）のような無線通信によるデータ通信接続をする機会が益々増加している。
【０００３】
図３は従来のノートパソコンであり、１１はノートパソコン本体、１２〜１４は無線通信用のアンテナであり、１２はディジタル携帯電話（以下、携帯電話）の規格に使われている無線通信方式のアンテナ（Ｗｈｉｐ  Ａｎｔｅｎｎａ  垂直アンテナ）であり、これにより携帯電話向けに提供しているインタ−ネット接続サービスと同じサービスをノートパソコンで受けることができる。
【０００４】
また、１３は無線ＬＡＮの規格の一つでＩＥＥＥ８０２．１１ｂ規格のアンテナ、１４は携帯情報機器向けの無線通信技術として規格化されたブルートゥースのアンテナである。ＩＥＥＥ８０２．１１ｂ用のアンテナ１３、ブルートゥースのアンテナ１４は図３のアンテナ図のように絶縁体に銅箔を印刷したプリント配線板３１から受信時には高周波信号をケーブル３２により受信または送出する簡単な構成でできており、パソコンの筐体内部に実装されているので一般には外から確認できない。一方、携帯電話のアンテナ１２は一般の携帯電話と同様にパソコン外部から確認できるがパソコン筐体内に収納可能な垂直アンテナである。
【０００５】
図４は従来のノートパソコンの無線通信に関係する部分のブロック図である。
【０００６】
図４において２１はアプリケーション（以下ＡＰＬという）であり、特定の目的のために設計されたソフトウエアである。２２はバイオス（以下Ｂｉｏｓという）であり、コンピュータに接続されたハードウエアを制御するプログラムであり、ハードウエアに対する基本的な入出力手段をＯＳやアプリケーションソフトに対して提供する。２３はエンベデッドコントローラ（Ｅｍｂｅｄｄｅｄ  Ｃｏｎｔｒｏｌｌｅｒ、組み込み制御器、以下ＥＣという）であり、上記ハードウエアのひとつである。２６ａ、２６ｂ、２６ｃは無線モジュール（Ｗｉｒｅｌｅｓｓ  Ｍｏｄｕｌｅ、以下ＷＭという）であり、図に記載のないノートパソコン本体からのディジタルデータを２６ａは携帯電話規格、２６ｂはＩＥＥＥ８０２規格、２６ｃはＢｌｕｅ  ｔｏｏｔｈ規格に従って変調、復調する。１２、１３、１４は各ＷＭ２６ａ、２６ｂ、２６ｃによる各無線通信規格の高周波信号の送信、受信をするアンテナである。
【０００７】
また、２４は複数の電源線２５ａ、２５ｂ、２５ｃを開閉するスイッチ群であり、ＡＰＬ２１の指示をＢｉｏｓ２２を経由してＥＣ２３の制御で指示された電源線を開閉する。
【０００８】
ＡＰＬ２１で指示された無線通信規格を入力としてＢｉｏｓ２２を経由してＥＣ２３は指示のあった無線通信規格のＷＭに対する電源線をスイッチ群２４が閉じ、その電源線を通じて指示されたＷＭに電源が供給されるため、ＡＰＬ２１で指示のあった無線通信規格のみがアンテナ１２〜１４を通じてデータの送信、受信が行われる。
【特許文献１】特開平１１−１４９３３０号公報
【発明の開示】
【発明が解決しようとする課題】
【０００９】
このような使い方のノートパソコンを携帯して屋外や通常使用するオフィス以外、あるいは乗り物の中で使用する機会も益々増えてきている。
【００１０】
しかし、その一方で携帯電話やこのような無線通信機能のあるノートパソコンはギガヘルツ帯域の電波を使用するためにより波長が短いエックス線やガンマ線に近い性質をもっている。エックス線やガンマ線は細胞を直接傷つける力があるため、がん治療などに使われる反面、大量に浴びると白血病やがんを誘発することもわかっている。携帯電話、パソコンや電子レンジ、テレビといった家電製品から出る電磁波はエックス線やガンマ線にくらべて波長が長く人体への影響は少ないと見られてはいるが、電気的な刺激や熱の作用はこれらの機器で問題とされることがある。携帯電話、ノートパソコンのような携帯型機器は特に病院では患者に対する配慮から使用を制限される場合が多い。
【００１１】
また、人体に限らず電子機器への影響も問題がある。例えば航空機内では携帯電話、ノートパソコンから出る電磁波は意図しない電磁波（不要輻射）として航空機の運行システムを構成している電子機器に好ましくない障害を発生させてしまうこともあるので非常に危険であり、使用を禁止される場合も多い。不要輻射の場合、基本周波数の電磁波以外に高調波、スプリアスなどと言われる基本周波数の整数倍の電磁波も含まれるのでその影響を特定することは難しい。
【００１２】
航空機では昔から知られている雷や空電によるアナログ系障害は発生事象がはっきり分かる場合が多く、因果関係も比較的特定可能で再現性が高いケースが多いようであるが、コンピュータ等のディジタル機器が関係する障害の場合は逆で、再現性に乏しく推測ができないような現象が発生し、ディジタル系障害と呼ばていれる。
【００１３】
航空機以外の乗り物でも電車内では優先座席付近では携帯電話の使用は制限されておりノートパソコンの場合であってもそれは同様であり、図３，図４のような複数の無線通信機能を備えたノートパソコンではその影響は携帯電話以上と考えるべきである。
【課題を解決するための手段】
【００１４】
本発明は、複数の無線通信規格に準拠した高周波回路部を含む複数の無線モジュールと、前記無線モジュールのそれぞれに電力を供給する組み込み制御器と、前記組み込み制御器より前記各無線モジュールに電力を供給する電源線をそれぞれ開閉するスイッチ群と、前記組み込み制御器に指示して前記スイッチ群を開閉する１つの制御スイッチとを備え、前記組み込み制御器より前記スイッチ群によって閉じられた電源線を通して前記無線モジュールに電力が供給され、その無線モジュールによりデータが送受信される状態で前記制御スイッチの操作により、前記組み込み制御器は前記スイッチ群を全て「開」にして前記無線モジュールへの電力の供給を停止し、かつ、前記スイッチ群の全てが「開」状態で、前記制御スイッチを操作することにより、前記組み込み制御器は前記スイッチ群をその全てが開にされる前の状態に戻し、前記スイッチ群の全てが開にされる前に電力が供給されていた無線モジュールによりデータが送受信される状態に復帰することを特徴とする無線通信装置であり、制御スイッチのワンタッチ操作で、動作中であった無線通信装置を停止することができるので、病院や航空機内のような場所において、即座に意図しない電磁波（不要輻射）の発射を停止して病院の患者や航空機の運行システムを構成している電子機器に重大な支障を及ぼさないようにすることができる。
【００１５】
そして、即座にもとの無線通信状態に戻し、通信を再開することができるものである。
【００１６】
また、本発明は、前記スイッチ群の全てが「開」状態で、前記制御スイッチを操作することにより、前記組み込み制御器は予め設定された無線モジュールに電力を供給するように前記スイッチ群を制御し、その電力が供給された無線モジュールによりデータが送受信されるようにしたことを特徴とする無線通信装置であり、即座に予め設定された所定の無線通信状態にして、通信を再開することができるものである。
【発明の効果】
【００１７】
以上のように本発明は、制御スイッチのワンタッチ操作で、動作中であった無線通信状態を停止し、また、再開することができるので、病院や航空機内のような場所において、即座に意図しない電磁波（不要輻射）の発射を停止して病院の患者や航空機の運行システムを構成している電子機器に重大な支障を及ぼさないようにすることができるという優れた効果が得られる。
【発明を実施するための最良の形態】
【００１８】
以下、本発明の実施の形態について、図１から図２を用いて説明する。
【００１９】
（実施の形態１）
図１は本発明のノートパソコンの外観図であり、１１はノートパソコン本体、１２〜１４は無線通信用のアンテナであり、１２はディジタル携帯電話に使われている無線通信方式の一つであるＧＳＭのアンテナ、１３は無線ＬＡＮの規格の一つでＩＥＥＥ８０２．１１ｂ規格のアンテナ、１４は携帯情報機器向けの無線通信技術として規格化されたブルートゥースのアンテナである。１５は各無線通信規格の無線モジュールを制御する制御スイッチである。
【００２０】
ＩＥＥＥ８０２．１１ｂ用のアンテナ１３、ブルートゥースのアンテナ１４は図３のアンテナ図のように絶縁体に銅箔を印刷したプリント配線板３１から受信時には高周波信号をケーブル３２により受信または送出する簡単な構成でできており、パソコンの筐体内部に実装されているので一般には外から確認できない。一方、携帯電話用のアンテナ１２は一般の携帯電話と同様にパソコン外部から確認できるがパソコン筐体内に収納可能な垂直アンテナである。
【００２１】
図２は本発明のノートパソコンの無線通信に関係する部分のブロック図である。
【００２２】
図２において２１はＡＰＬであり、特定の目的のために設計されたソフトウエアである。２２はＢｉｏｓであり、コンピュータに接続されたハードウエアを制御するプログラムであり、ハードウエアに対する基本的な入出力手段をＯＳやアプリケーションソフトに対して提供する。２３はＥＣ（組み込み制御器）であり、上記ハードウエアのひとつである。２６ａ、２６ｂ、２６ｃは無線モジュール１〜３であり、図に記載のないノートパソコン本体からのディジタルデータを２６ａは携帯電話規格、２６ｂはＩＥＥＥ８０２規格、２６ｃはＢｌｕｅ  ｔｏｏｔｈ規格に従って変調、復調する。１２、１３、１４は各ＷＭ２６ａ、２６ｂ、２６ｃによる各無線通信規格の高周波信号の送信、受信をするアンテナである。
【００２３】
また、２４は複数の電源線２５ａ、２５ｂ、２５ｃを開閉するスイッチ群であり、ＡＰＬ２１の指示を、Ｂｉｏｓ２２を経由してＥＣ２３の制御で指示された電源線を開閉する。
【００２４】
以上のように構成された無線通信装置について、図１、図２を用いてその動作を説明する。
【００２５】
ＡＰＬ２１で指示された無線通信規格を入力としてＢｉｏｓ２２を経由してＥＣ２３は指示のあった無線通信規格のＷＭに対する電源線をスイッチ群２４が閉じ、その電源線を通じて指示されたＷＭに電源が供給されるため、ＡＰＬ２１で指示のあった無線通信規格のみが対応するアンテナを通じてデータの送信、受信が行われる。以上は従来のノートパソコンと同じ動作である。
【００２６】
本実施の形態では制御スイッチ１５を新たに設けている。このスイッチ１５は病院や航空機内のような場所において、意図しない電磁波（不要輻射）の発射を停止し、患者や航空機の運行システムを構成している電子機器に重大な支障を及ぼさないようにするためのスイッチである。この制御スイッチ１５をオン状態にするとスイッチ群２４の全てが開いてＷＭ２６ａ、２６ｂ、２６ｃに電力供給を停止するのでデータの送信、受信が行われなくなる。したがって、ＡＰＬ２１で一つ一つのＷＭ２６ａ、２６ｂ、２６ｃのオフ制御をすることなく制御スイッチ１５のワンタッチ操作で各ＷＭからの電磁波の発射を停止できる。
【００２７】
この制御スイッチ１５をオフ状態に戻せば、元々動作中であった無線通信規格のＷＭ２６ａ、２６ｂ、２６ｃにスイッチ群２４のラインが閉じられることで電力供給が再開される。スイッチ群２４によりオフ状態で動作中でなかったＷＭには制御スイッチ１５をオフ状態にしてもスイッチ群２４により電源線は閉じられず電力供給は行われない。これはＥＣ２３が前の状態を記憶することで簡単に実現可能である。
【００２８】
以上のように本実施の形態によれば、制御スイッチ１５のワンタッチ操作で、動作中であった無線通信を停止することができるので、病院や航空機内のような場所において、即座に意図しない電磁波（不要輻射）の発射を停止して病院の患者や航空機の運行システムを構成している電子機器に重大な支障を及ぼさないようにすることができる。
【００２９】
なお、制御スイッチ１５をオン状態にするとスイッチ群２４のライン全てが開いてＷＭ２６ａ、２６ｂ、２６ｃに電力供給を停止するのでデータの送信、受信が行われなくなると説明したが、ＷＭを送信部と受信部に電源回路を分離して制御スイッチ１５をオン状態することで送信部のみ動作を停止させ、受信部の動作を維持しても電磁波の発射は停止することができる。
【００３０】
また、電力供給によって各ＷＭの動作を制御する説明をしたが、電力供給以外でもＷＭの回路動作の動作／停止する構成で本発明を実現する方法もある。
【００３１】
また、ＷＭとアンテナ１２〜１４の間にスイッチ群２４を配置して電磁波の空間への発射／停止を制御できることは言うまでもない。
【００３２】
また、実施の形態の記載の中で、制御スイッチ１５をオフ状態に戻せば、スイッチ群２４により元々動作中であった無線通信規格のＷＭの電源線が閉じられることでそのＷＭに電力供給が再開される、としたが、これに限ることはなく、制御スイッチ１５をオン（電磁波の発射停止）からオフ状態にしときにユーザの設定、つまりＡＰＬ２１の設定により指示されたＷＭの電源線がスイッチ群２４により閉じられ、それによって電力供給された無線通信規格のＷＭより電磁波の発射が再開されるようにしても良い。
【産業上の利用可能性】
【００３３】
本発明にかかる無線通信装置は、制御スイッチのワンタッチ操作で、動作中であった無線通信を停止することができるので、病院や航空機内のような場所において、即座に意図しない電磁波（不要輻射）の発射を停止して病院の患者や航空機の運行システムを構成している電子機器に重大な支障を及ぼさないようにすることができるという効果を有し、ノートパソコンのような携帯型の情報処理装置本体に着脱可能に取り付けられた無線通信装置等として有用である。
【図面の簡単な説明】
【００３４】
【図１】本発明のノートパソコンの外観図
【図２】本発明のノートパソコンの無線通信に関係する部分のブロック図
【図３】従来のノートパソコンの外観図と、ＩＥＥＥ８０２．１１ｂ、ブルートゥースのアンテナの図
【図４】従来のノートパソコンの無線通信に関係する部分のブロック図
【符号の説明】
【００３５】
１１  ノートパソコン本体
１２  携帯電話規格のアンテナ
１３  ＩＥＥＥ８０２．１１ｂ規格のアンテナ
１４  ブルートゥースのアンテナ
１５  制御スイッチ
２１  ＡＰＬ（アプリケーション）
２２  Ｂｉｏｓ（バイオス）
２３  ＥＣ（Ｅｍｂｅｄｄｅｄ  Ｃｏｎｔｒｏｌｌｅｒ、組み込み制御器）
２４  スイッチ群
２５  電源線
２６  無線モジュール（Ｗｉｒｅｌｅｓｓ  Ｍｏｄｕｌｅ）
３１  プリント配線板
３２  ケーブル